(57)【要約】【課題】着座者や周囲の者に覚醒維持装置が正常に作動していることを分かり易く報知することが可能な覚醒維持装置付きシートを提供する。【解決手段】覚醒維持装置Ｕを備えたシートＳは、着座者の呼吸信号を検出する呼吸センサＵ３と、呼吸センサＵ３の検出結果に基づいて着座者に振動力を付与する振動ユニットＵ４と、覚醒維持装置Ｕが作動又は停止していることを表示する作動表示部Ｕ６と、を備えている。作動表示部Ｕ６が、着座者が着座したときに外部から視認可能な位置、例えば背もたれ部２の上端部分に取り付けられている。【選択図】図１
2020011101.tif 000002
【特許請求の範囲】
【請求項１】
着座者に物理的力を付与することで覚醒状態を促すための覚醒維持装置を備えた覚醒維持装置付きシートであって、
前記覚醒維持装置が作動又は停止していることを表示する作動表示部を備え、
該作動表示部は、前記着座者が着座したときに外部から視認可能な位置に取り付けられていることを特徴とする覚醒維持装置付きシート。
【発明の詳細な説明】
【技術分野】
【０００１】
本発明は、覚醒維持装置付きシートに係り、特に、着座者に物理的力を付与することで覚醒状態を促すことが可能な覚醒維持装置付きシートに関する。
【背景技術】
【０００２】
従来、勉強や仕事を効率的に行うことを目的として、着座者の居眠りを防止することが可能な居眠り防止装置を備えた作業用の椅子が知られている（例えば、特許文献１参照）。
【０００３】
特許文献１に記載の居眠り防止用振動椅子では、椅子本体と、椅子本体の着座部底面に取り付けられた振動モータと、振動モータの作動をオン又はオフさせるためのリモートコントローラと、を備えている。リモートコントローラには、振動モータの操作スイッチのほか、振動時間を設定するためのタイマーが設けられている。
上記構成により、着座者が仕事中に眠気を催したときには、振動モータを作動させることで椅子本体を振動させることができる。そのため、着座者の居眠りを防止できる。
【先行技術文献】
【特許文献】
【０００４】
【特許文献１】特開平６−２５３９５３号公報
【発明の概要】
【発明が解決しようとする課題】
【０００５】
しかしながら、特許文献１のような居眠り防止用振動椅子では、居眠り防止装置が正常に作動していること、すなわち、居眠り防止装置が待機状態で作動していることを着座者や周囲の者に分かり易く報知するための工夫が特になされていなかった。
そのため、着座者や周囲の者が居眠り防止装置が作動していないことを知らずにいると、結局、着座者の居眠り防止が達成できない虞があった。
【０００６】
また、特許文献１のような居眠り防止用振動椅子では、例えば、着座者が睡眠状態に陥った場合や、着座者の覚醒状態が相当低下した場合には、リモートコントローラで操作することが困難であって、着座者の覚醒状態を効果的に維持できない虞があった。
【０００７】
また、特許文献１のような居眠り防止用振動椅子では、ユーザーが運び易いように椅子の大型化を抑制し、シートの軽量化を果たすことが望まれていた。
【０００８】
本発明は、上記の課題に鑑みてなされたものであり、本発明の目的は、着座者の居眠り防止をより確実に達成することができ、覚醒状態を効果的に維持することが可能な覚醒維持装置付きシートを提供することにある。
また、本発明の他の目的は、着座者や周囲の者に覚醒維持装置が正常に作動していることを分かり易く報知することが可能な覚醒維持装置付きシートを提供することにある。
また、本発明の他の目的は、シートの大型化を抑制し、シートの軽量化を果たした覚醒維持装置付きシートを提供することにある。
【課題を解決するための手段】
【０００９】
前記課題は、本発明によれば、着座者に物理的力を付与することで覚醒状態を促すための覚醒維持装置を備えた覚醒維持装置付きシートであって、前記覚醒維持装置が作動又は停止していることを表示する作動表示部を備え、該作動表示部は、前記着座者が着座したときに外部から視認可能な位置に取り付けられていること、により解決される。
上記構成により、着座者や周囲の者に覚醒維持装置が正常に作動していることを分かり易く報知することができ、着座者の居眠り防止を確実に達成可能なシートを実現することができる。
【００１０】
このとき、着座部と、該着座部に連結される背もたれ部と、を備え、前記着座部及び前記背もたれ部のうち、少なくとも一方において前記着座者を支持する部分には、前記覚醒維持装置を構成し、前記着座者に物理的力を付与する駆動ユニットが取り付けられていると良い。
上記駆動ユニットの構成により、着座者に物理的力を効率良く付与することができ、着座者の覚醒状態を維持し易くなる。
【００１１】
このとき、前記着座部及び前記背もたれ部のうち、少なくとも一方において前記着座者を支持する部分には、前記覚醒維持装置を構成し、前記着座者の生体信号を検出する生体センサが取り付けられ、前記覚醒維持装置は、前記生体センサから検出された前記生体信号の結果に基づいて前記駆動ユニットを駆動させると良い。
上記構成により、覚醒維持装置を作動させておけば、従来例と比較して着座者の覚醒状態を効果的に維持することが可能なシートを実現できる。
【００１２】
このとき、前記駆動ユニットは、前記背もたれ部に取り付けられ、前記生体センサは、前記着座部に取り付けられ、前記駆動ユニット及び前記センサユニットは、シート幅方向において同じ位置に配置されていると良い。
上記構成により、例えば、駆動ユニットと生体センサをワイヤーハーネス等で電気的に接続するときに、当該ハーネスを略一直線状に延ばすことができ、コンパクトに配置することができる。その結果、シートの大型化の抑制、シートの軽量化につながる。
【００１３】
このとき、前記作動表示部は、前記背もたれ部の上端部分に取り付けられていると良い。
また、前記作動表示部は、前記着座部においてシート幅方向の一端部分及び後端部分のうち、いずれか一方の部分に取り付けられていると良い。
上記作動表示部の構成により、覚醒維持装置が作動していることを着座者や周囲の者が一層確認し易くなる。
【００１４】
このとき、前記覚醒維持装置を構成し、前記駆動ユニットに電力を供給するためのバッテリーと、該バッテリーの充電状態を表示する充電状態表示部と、を備え、該充電状態表示部は、前記作動表示部の周辺部分に取り付けられていると良い。
上記構成により、バッテリーの充電状態（充電量）を容易に確認することができ、覚醒維持装置の作動可能時間を把握した上で本装置を正常に作動させることができる。
【００１５】
このとき、前記覚醒維持装置を作動又は停止させるための操作スイッチを備え、該操作スイッチは、前記作動表示部及び前記充電状態表示部の周辺部分に取り付けられていると良い。
上記構成により、着座者が着座したときに誤って操作スイッチを操作してしまうことが抑制され、また着座後に操作スイッチを操作し易くなる。
【００１６】
このとき、記覚醒維持装置を作動又は停止させるために、前記着座者が着座していることを検出する着座センサを備え、該着座センサは、着座部において前記着座者を支持する部分に取り付けられていると良い。
また、前記覚醒維持装置を作動又は停止させるために、シート周囲における光の有無を検出する光センサを備えていると良い。
上記構成により、着座者が着座して作業をするときに、覚醒維持装置の付け忘れ又は消し忘れを防止することができる。
【００１７】
このとき、予め設定された設定時間を計測し、設定時間が経過したときに前記覚醒維持装置に向けて所定信号を送信するタイマーユニットを備え、前記覚醒維持装置は、前記タイマーユニットから受信した前記所定信号に基づいて前記駆動ユニットを駆動又は停止させると良い。
上記構成により、着座者が使用環境に応じて覚醒維持装置の動作設定を変更することができる。
【発明の効果】
【００１８】
請求項１の発明によれば、着座者や周囲の者に覚醒維持装置が正常に作動していることを分かり易く報知することができ、着座者の居眠り防止をより確実に達成可能なシートを実現できる。
請求項２の発明によれば、上記駆動ユニットの構成により、着座者に物理的力を効率良く付与することができ、着座者の覚醒状態を維持し易くなる。
請求項３の発明によれば、覚醒維持装置を作動させておけば、従来例と比較して着座者の覚醒状態を効果的に維持可能なシートを実現できる。
【００１９】
請求項４の発明によれば、例えば、ワイヤーハーネスをコンパクトに配置できる。その結果、シートの大型化の抑制、シートの軽量化につながる。
請求項５、６の発明によれば、上記作動表示部の構成により、覚醒維持装置が作動していることを着座者や周囲の者が一層確認し易くなる。
請求項７の発明によれば、バッテリーの充電状態を容易に確認でき、覚醒維持装置の作動可能時間を把握した上で本装置を正常に作動させることができる。
【００２０】
請求項８の発明によれば、着座者が着座時に誤って操作スイッチを操作してしまうことが抑制され、また着座後に操作スイッチを操作し易くなる。
請求項９、１０の発明によれば、着座者が着座して作業をするときに、覚醒維持装置の付け忘れ又は消し忘れを防止することができる。
請求項１１の発明によれば、着座者が使用環境に応じて覚醒維持装置の動作設定を変更できる。
【図面の簡単な説明】
【００２１】
【図１】本実施形態に係る覚醒維持装置付きシートの外観斜視図である。
【図２】シート本体の底面を示す斜視図である。
【図３】シート本体底面に取り付けられる制御装置及びバッテリーを示す斜視図である。
【図４】覚醒維持装置付きシートの第２実施例を示す側面図である。
【図５】覚醒維持装置付きシートの第３実施例を示す側面図である。
【発明を実施するための形態】
【００２２】
以下、本発明の実施形態に係る車両用シートについて、図１〜図５を参照しながら説明する。
本実施形態は、覚醒維持装置を備えたシートであって、着座者の呼吸信号を検出する呼吸センサと、呼吸センサの検出結果に基づいて着座者に振動力を付与する振動ユニットと、覚醒維持装置が作動又は停止していることを表示する作動表示部と、を備えており、
この作動表示部が、着座者が着座したときに外部から視認可能な位置、例えば背もたれ部の上端部分に取り付けられていることを特徴とする覚醒維持装置付きシートの発明に関するものである。
なお、本シートの背もたれ部に対して着座者が着座する側がシート前方側となる。
【００２３】
本実施形態のシートＳは、作業用椅子であって、図１に示すように、着座部１と、背もたれ部２とを有するシート本体と、シート本体を下方から支持する脚部３と、シート本体に取り付けられ、着座者に物理的力を付与することで覚醒状態を促すための覚醒維持装置Ｕと、から主に構成されている。
【００２４】
着座部１は、着座者の臀部を下方から支持するクッションパンであって、図２に示すように、骨格となる着座フレーム１０上面に略矩形状の樹脂プレート１ａを取り付けて、表皮付きパッド１ｂで覆われて構成されている。
着座フレーム１０は、略十字形状の金属製のフレームであって、シート幅方向に延びる下部フレーム１１と、下部フレーム１１に対して十字形状を成すように連結され、前後方向に延びる上部フレーム１２と、下部フレーム１１及び上部フレーム１２の重なり部分に設けられた貫通孔に下方から嵌め込まれ、上下方向に延びる支柱フレーム１３と、から主に構成されている。
表皮付きパッド１ｂは、クッション材から形成されるパッドと、当該パッドを覆う表皮とから主に構成されている。
【００２５】
着座部１底面のシート前方部分、詳しく言うと、着座フレーム１０底面の前方部分には、図１に示すように、覚醒維持装置Ｕの制御部となる制御装置Ｕ１と、電力供給部となるバッテリーＵ２とが取り付けられている。
また、着座部１内部のシート後方部分、詳しく言うと、表皮付きパッド１ｂの後方部分において表皮とパッドの間の部分には、覚醒維持装置Ｕのセンサ部となる呼吸センサＵ３が取り付けられている。
【００２６】
背もたれ部２は、着座者の背中を後方から支持するバックパンであって、図１に示すように、骨格となる不図示の背もたれフレーム前面に略矩形状の樹脂プレート２ａを取り付けて、表皮付きパッド２ｂで覆われて構成されている。
背もたれフレームは、略逆Ｕ字形状の金属製のフレームであって、着座部１（着座フレーム１０）の後端部分に連結されており、着座部１から上方に延びている。
表皮付きパッド２ｂは、クッション材から形成されるパッドと、当該パッドを覆う表皮とから主に構成されている。
【００２７】
背もたれ部２の略中央部分、詳しく言うと、樹脂プレート２ａのシート幅方向の中央部分、かつ、上下方向の中央部分よりやや下方部分には、覚醒維持装置Ｕを構成し、着座者に物理的力を付与する振動ユニットＵ４が嵌め込まれて取り付けられている。
【００２８】
脚部３は、樹脂材料からなり、図１に示すように、着座部１の支柱フレーム１３に嵌め込まれ、上下方向に延びる脚支柱部３ａと、脚支柱部の下方部分に連続して取り付けられ、複数本に分岐する脚分岐部３ｂと、から主に構成されている。
【００２９】
覚醒維持装置Ｕは、着座者の生体信号を検出し、検出された生体信号の結果に基づいて着座者に物理的力を付与することで覚醒状態を促すための装置である。
覚醒維持装置Ｕは、具体的には、図１に示すように、制御装置Ｕ１と、バッテリーＵ２と、呼吸センサＵ３と、振動ユニットＵ４と、これら構成部品を作動又は停止させるための操作スイッチＵ５と、これら構成部品が作動又は停止していることを表示する作動表示部Ｕ６と、バッテリーＵ２の充電状態を表示する充電状態表示部Ｕ７と、から主に構成されている。
また覚醒維持装置Ｕは、各構成部品がハーネスＵ８を通じて電気的に接続されて構成されている。
【００３０】
制御装置Ｕ１は、ＥＣＵ（Ｅｌｅｃｔｒｏｎｉｃ  Ｃｏｎｔｒｏｌ  Ｕｎｉｔ）に相当し、電気制御を総合的に実行する中枢機能である。
制御装置Ｕ１は、呼吸センサＵ３で検出された着座者の呼吸信号を受信して着座者の覚醒状態を判断し、覚醒状態ではないと判断した場合には、振動ユニットＵ４を駆動させるための信号を振動ユニットＵ４に向けて送信する構成となっている。
詳しく言うと、制御装置Ｕ１に向けて呼吸センサＵ３から送信される呼吸信号は、信号処理回路によってデジタル信号に変換された電位差信号であり、制御装置Ｕ１から振動ユニットＵ４に向けて送信される信号は、振動ユニットＵ４を駆動させるための電力である。
なお、着座者の覚醒状態を判断するための構成は、公知な構成が採用されていれば良い。
【００３１】
制御装置Ｕ１は、ハード構成から説明すると、演算制御用のＣＰＵ、記憶装置としてのＲＡＭ及びＲＯＭ、情報データの送受信を行う通信用インタフェース等から構成されている汎用のＥＣＵである。
詳しく言うと、ＲＡＭは、演算制御中の信号及び入出力される信号を含むパラメータを一時記憶するもので、デジタル信号に変換された電位差信号その他の信号を格納する格納部として機能している。
ＲＯＭは、ＣＰＵが実行するプログラム及び所定値のパラメータを記憶するものであり、例えば、所定の基準値を設定する基準値設定部や、基準値に基づき覚醒状態を判定する判定部、振動ユニットＵ４を駆動させる駆動部等がプログラムとして記録されている。
この駆動部は、ＣＰＵの指示に応じて電力を供給することにより振動ユニットＵ４を駆動させる機能を有する。
つまり、呼吸センサＵ３から送信される信号によって着座者の覚醒状態を判断し、覚醒状態ではないと判断した場合に、振動ユニットＵ４を駆動させるための信号がＣＰＵから発信されるよう構成されている。
【００３２】
バッテリーＵ２は、制御装置Ｕ１、振動ユニットＵ４その他の構成部品に電力を供給するための板形状の充電池であって、その前端部分又は後端部分にはハーネスのコネクタを接続するための接続端子や、充電コードを接続するための給電端子が形成されている。
制御装置Ｕ１及びバッテリーＵ２は、図３に示すように、上下に対向する位置に配置されており、保護カバー４によって囲まれた状態で保持されている。
なお、保護カバー４は、その前壁部及び後壁部において開口部分が形成された筐体からなり、ハーネスＵ８を制御装置Ｕ１及びバッテリーＵ２と接続させ易い形状となっている。
【００３３】
呼吸センサＵ３は、着座者の生体信号（呼吸信号）を検出する生体センサに相当し、具体的には、着座者の着座圧を検出する面状の圧力センサである。
ここで、着座圧とは、着座者がシートＳに着座したときに着座者の生理的活動（呼吸）に応じて周期的に変化する値であり、呼吸センサＵ３によって検出される値である。
呼吸センサＵ３は、図１に示すように、着座部１底面のシート後方部分に配置され、かつ、シート幅方向の略中央部分に配置されており、表皮付きパッド１ｂのパッド上に貼り付けられている。
呼吸センサＵ３は、少なくとも一部が制御装置Ｕ１及びバッテリーＵ２とシート幅方向において同じ位置に配置されている。
【００３４】
振動ユニットＵ４は、着座者に物理的力を付与する駆動ユニットに相当し、具体的には、制御装置Ｕ１の信号を受信して振動を開始する公知な振動モータを備えたユニットである。
振動ユニットＵ４は、振動モータの振動によって着座者の背中に物理的刺激を付与することができる。
振動ユニットＵ４は、図１に示すように、背もたれ部２のシート幅方向の略中央部分に配置されており、樹脂プレート２ａに設けられた不図示の嵌合穴に嵌め込まれている。
振動ユニットＵ４は、少なくとも一部が呼吸センサＵ３とシート幅方向において同じ位置に配置されている。
【００３５】
操作スイッチＵ５は、覚醒維持装置Ｕを作動又は停止させるための押しボタン式の操作スイッチであって、図１に示すように、背もたれ部２の上端部分、詳しく言うと、樹脂プレート２ａの上端部分に設けられた不図示の嵌合穴に嵌め込まれて取り付けられている。
作動表示部Ｕ６は、覚醒維持装置Ｕが作動又は停止していることを表示する表示ランプであって、正常に作動している場合には青色を表示し、作動しているが何らかの不具合が生じている場合には黄色を表示し、停止している場合には消灯するように構成されている。
充電状態表示部Ｕ７は、バッテリーＵ２の充電状態を表示する表示ランプであって、バッテリーが十分に充電されている場合には青色を表示し、充電残量が所定値以下となった場合には赤色を表示し、充電残量がなくなった場合には消灯するように構成されている。
【００３６】
作動表示部Ｕ６及び充電状態表示部Ｕ７は、図１に示すように、背もたれ部２の上端部分に取り付けられており、操作スイッチＵ５を挟む位置に配置されている。
操作スイッチＵ５、作動表示部Ｕ６及び充電状態表示部Ｕ７は、少なくとも一部が振動ユニットＵ４とシート幅方向において同じ位置に配置され、かつ、シート前後方向において同じ位置に配置されている。
【００３７】
ハーネスＵ８は、覚醒維持装置Ｕの各構成部品を電気的に接続するワイヤーハーネスであって、図１に示すように、着座部１及び背もたれ部２の内部をそれぞれ通過するように延びている。
詳しく言うと、ハーネスＵ８は、その一端部分が分岐して制御装置Ｕ１及びバッテリーＵ２と接続されており、一端部分からシート後方へ略一直線上に延びて呼吸センサＵ３と一部接続されると共に、さらに背もたれ部２に向かって延びている。
そしてハーネスＵ８は、着座部１と背もたれ部２の連結部分において屈曲して上方へ略一直線上に延びて、振動ユニットＵ４と一部接続されると共に、さらに背もたれ部２の上端へ向かって延びている。
そしてハーネスＵ８は、その他端部分が３つに分岐してそれぞれ操作スイッチＵ５、作動表示部Ｕ６及び充電状態表示部Ｕ７と接続されている。
【００３８】
上記構成において、覚醒維持装置Ｕの各構成部品Ｕ１〜Ｕ７は、図１に示すように、シート幅方向において同じ位置に配置されているため、各構成部品Ｕ１〜Ｕ７を接続するハーネスＵ８を略一直線状に延ばすことができる。
そのため、ハーネスＵ８をコンパクトに配置することができ、ハーネスＵ８の組み付け作業を含むシートＳの組み付け作業が大幅に簡略化される。また、ハーネスＵ８を複雑に延ばすことがないため、ハーネスＵ８が変形する虞が軽減される。また、結果として、シートの大型化の抑制、シートの軽量化につながる。
【００３９】
上記構成において、覚醒維持装置Ｕの各構成部品Ｕ１〜Ｕ８は、図１に示すように、シート幅方向の略中央部分に配置されている。
そのため、呼吸センサＵ３及び振動ユニットＵ４は、シート幅方向の両端側の部分に配置されている場合と比較して、着座者の生体信号を精度良く検出することができ、着座者への物理的力を効率良く付与することができる。
また、ハーネスＵ８は、シート幅方向の両端部分に配置されている場合と比較して、着座者や周囲の者から視認され難い位置に配置されるため、シートＳの意匠性を確保できる。
【００４０】
上記構成において、操作スイッチＵ５、作動表示部Ｕ６及び充電状態表示部Ｕ７は、図１に示すように、背もたれ部２の上端部分に取り付けられており、着座者が着座したときに外部から視認し易い位置に配置されている。
そのため、着座者や周囲の者に覚醒維持装置が正常に作動していることを分かり易く報知することができ、また、ユーザーにとって使い勝手に優れたシートとなる。
【００４１】
＜覚醒維持装置付きシートの第２実施形態＞
次に、覚醒維持装置付きシートの第２実施例について、図４に基づいて説明する。なお、上述したシートＳと重複する内容は説明を省略する。
第２実施形態のシートＳ２では、操作スイッチＵ５、作動表示部Ｕ６及び充電状態表示部Ｕ７が、それぞれ着座部１のシート幅方向の左外側面に配置され、かつ、シート後方部分に配置されている。
また、覚醒維持装置Ｕの構成部品として、予め設定された設定時間を計測し、設定時間が経過したときに制御装置Ｕ１に向けて所定信号を送信するタイマーユニットＵ９をさらに備えている。
【００４２】
タイマーユニットＵ９は、操作スイッチＵ５の周辺部分に取り付けられており、例えば、設定時間を１時間とした場合には、１時間経過毎に制御装置Ｕ１に向けて所定信号を送信することができる。
制御装置Ｕ１は、タイマーユニットＵ９から受信した所定信号に基づいて、着座者の覚醒状態の判断とは無関係に、振動ユニットＵ４を駆動させるための信号を振動ユニットＵ４に向けて送信することができる。
そのほか、例えば、タイマーユニットＵ９の設定時間を３時間として、３時間経過後に制御装置Ｕ１に所定信号を送信することで、制御装置Ｕ１の作動を停止させることも可能である。
【００４３】
上記構成において、操作スイッチＵ５、作動表示部Ｕ６及び充電状態表示部Ｕ７は、シート前後方向において呼吸センサＵ３と同じ位置に配置されている。
そのため、ハーネスＵ８を呼吸センサＵ３の位置から略一直線上に延ばすことができ、ハーネスＵ８の組み付け作業や、ハーネスＵ８の変形を抑制することができる。
【００４４】
上記構成において、操作スイッチＵ５が、着座部１のシート幅方向の左外側面に配置され、かつ、シート後方部分に配置されている。
そのため、着座者が着座したときに手の届き易い位置に配置されることになる。また、着座者が着座した状態で自身の足を組み直したとき等に誤って操作スイッチＵ５に触れてしまうようなことが軽減される。
【００４５】
＜覚醒維持装置付きシートの第３実施形態＞
次に、覚醒維持装置付きシートの第３実施例について、図５に基づいて説明する。
第３実施形態のシートＳ３では、操作スイッチＵ５、作動表示部Ｕ６及び充電状態表示部Ｕ７が、それぞれ背もたれ部２のシート幅方向の左外側面に配置され、かつ、下方部分に配置されている。
上記構成により、着座者が着座したときに手の届き易い位置に配置されることになる。また、着座者が誤って操作スイッチＵ５に触れてしまうようなことが軽減される。
また上記構成により、操作スイッチＵ５、作動表示部Ｕ６及び充電状態表示部Ｕ７が、上下方向において振動ユニットＵ４と同じ位置に配置されるため、ハーネスＵ８を振動ユニットＵ４の位置から略一直線上に延ばすことができる。
【００４６】
＜その他の実施形態＞
上記実施形態において、覚醒維持装置付きシートＳでは、図１に示すように、作動表示部Ｕ６が背もたれ部２の上端部分に取り付けられているが、特に限定されることなく、着座者が着座したときに外部から視認可能な位置に取り付けられていれば良い。
ここで、着座者が着座したときに外部から視認可能な位置とは、例えば、着座者によって隠れてしまう位置や、シート本体及び脚部３の底面部分の位置を避けた位置に相当する。
【００４７】
また上記実施形態において、呼吸センサＵ３が、着座者の生体信号を検出する生体センサとして採用されているが、特に限定されることなく、呼吸センサＵ３の代わりに心拍センサや体温センサ等の生体センサが採用されても勿論良い。
【００４８】
また上記実施形態において、振動ユニットＵ４が、着座者に物理的力を付与する駆動ユニットとして採用されているが、特に限定されることなく、振動ユニットＵ４の代わりに押し動作する押動ユニット等の駆動ユニットが採用されても勿論良い。
【００４９】
また上記実施形態において、図１に示すように、操作スイッチＵ５が、覚醒維持装置Ｕを作動させるための押しボタン式スイッチとして採用されているが、特に限定されることなく変更可能である。
例えば、覚醒維持装置Ｕを作動又は停止させるために、シート周囲における光の有無を検出する光センサＵ１０が代わりに採用されていても良い。
このとき、光センサＵ１０は、図１に示すように、操作スイッチＵ５が配置されている部分に代わりとして取り付けられていることが望ましい。
また例えば、覚醒維持装置Ｕを作動又は停止させるために、着座者が着座していることを検出する着座センサＵ１１が代わりに採用されていても良い。
このとき、着座センサＵ１１は、図１に示すように、呼吸センサＵ３周辺に取り付けられていることが望ましく、または呼吸センサＵ３が着座センサＵ１１としての機能を兼ね備えていても良い。
【００５０】
また上記実施形態において、図１に示すように、操作スイッチＵ５、作動表示部Ｕ６及び充電状態表示部Ｕ７は、互いに近接した位置に配置されているが、特に限定されることなく、互いに別々の位置に配置されていても勿論良い。
【００５１】
上記実施形態では、具体例として作業用椅子として用いられる覚醒維持装置付きシートについて説明したが、これに限定されることなく、映画館、プラネタリウム等の商業施設、病院待合室等の公共施設の室内、又は室外に広く用いられるシートとして利用可能である。
また、自動車、電車、バス等の車両用シートのほか、飛行機、船等の乗り物用シートとしても利用することができる。
【００５２】
本実施形態では、主として本発明に係る覚醒維持装置付きシートに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【符号の説明】
【００５３】
Ｓ，Ｓ２，Ｓ３  シート
１  着座部
１ａ，２ａ  樹脂プレート
１ｂ，２ｂ  表皮付きパッド
２  背もたれ部
３  脚部
３ａ  脚支柱部
３ｂ  脚分岐部
４  保護カバー
１０  着座フレーム
１１  下部フレーム
１２  上部フレーム
１３  支柱フレーム
Ｕ  覚醒維持装置
Ｕ１  制御装置（ＥＣＵ）
Ｕ２  バッテリー
Ｕ３  呼吸センサ（生体センサ）
Ｕ４  振動ユニット（駆動ユニット）
Ｕ５  操作スイッチ
Ｕ６  作動表示部
Ｕ７  充電状態表示部
Ｕ８  ハーネス
Ｕ９  タイマーユニット
Ｕ１０  光センサ
Ｕ１１  着座センサ
【図１】
2020011101.tif 000003
【図２】
2020011101.tif 000004
【図３】
2020011101.tif 000005
【図４】
2020011101.tif 000006
【図５】
2020011101.tif 000007